(57)【要約】【課題】コストを抑えつつ、各領域の照度を適切化することが可能な照明制御装置、照明制御システム、照明制御方法、及びプログラムを提供する。【解決手段】ｎ個の領域それぞれの照度を検出する照度検出装置１０−１〜１０−ｎそれぞれから、検出された照度を示す照度情報を取得する照度情報取得部１０１と、人間の有無又は位置を検出する人検出装置２０−１〜２０−ｎそれぞれから、検出された人間の有無又は位置を示す人間情報を取得する人間情報取得部１０３と、ｎ個の領域それぞれの目標照度を示す目標照度情報を取得する目標照度情報取得部１０７と、ｎ個の照度情報、１以上の人間情報、前記ｎ個の目標照度情報に基づいて、ｎ個の領域への照明を行うｍ個の照明装置４０−１〜４０−ｍそれぞれの調光レベルを制御する調光制御部１１３と、を備える。【選択図】図７
2016110718.tif 000002
【特許請求の範囲】
【請求項１】
ｎ個の領域それぞれの照度を検出するｎ個の照度検出装置それぞれから、検出された照度を示す照度情報を取得する照度情報取得部と、
人間の有無又は位置を検出する１以上の人検出装置それぞれから、検出された人間の有無又は位置を示す人間情報を取得する人間情報取得部と、
前記ｎ個の領域それぞれの目標照度を示す目標照度情報を取得する目標照度情報取得部と、
前記ｎ個の照度情報、前記１以上の人間情報、及び前記ｎ個の目標照度情報に基づいて、前記ｎ個の領域への照明を行うｍ個の照明装置それぞれの調光レベルを制御する調光制御部と、
を備える照明制御装置。
【請求項２】
前記ｎ個の照度情報、前記１以上の人間情報、及び前記ｎ個の目標照度情報に基づいて、前記ｍ個の照明装置それぞれの調光レベルの変化量を算出する算出部を更に備え、
前記調光制御部は、前記ｍ個の照明装置の調光レベルを、それぞれ、前記算出された変化量分変化させるように制御する請求項１に記載の照明制御装置。
【請求項３】
前記人間有無情報取得部は、前記ｎ個の領域それぞれの人間の有無を検出するｎ個の人検出装置それぞれから、前記人間情報を取得し、
前記算出部は、前記ｎ個の照度情報のうち前記人間情報が人間有りを示す領域の照度情報、前記ｎ個の目標照度情報のうち前記人間情報が人間有りを示す領域の目標照度情報に基づいて、前記ｍ個の調光レベルの変化量を算出する請求項２に記載の照明制御装置。
【請求項４】
前記ｍ個の調光レベルの変化量は、前記ｎ個の領域のうち前記人間情報が人間有りを示す領域の照度を前記目標照度に近づける変化量である請求項３に記載の照明制御装置。
【請求項５】
前記人間有無情報取得部は、保持している人間の位置を検出する１以上の人検出装置それぞれから、前記人間情報を取得し、
前記算出部は、前記ｎ個の照度情報のうち前記人間情報が示す位置を含む領域の照度情報、前記ｎ個の目標照度情報のうち前記人間情報が示す位置を含む領域の目標照度情報に基づいて、前記ｍ個の調光レベルの変化量を算出する請求項２に記載の照明制御装置。
【請求項６】
前記ｍ個の調光レベルの変化量は、前記ｎ個の領域のうち前記人間情報が示す位置を含む領域の照度を前記目標照度に近づける変化量である請求項５に記載の照明制御装置。
【請求項７】
ｍ個の照明装置それぞれの所定単位当たりの電力消費量を示す電力消費量情報を取得する電力消費量情報取得部を更に備え、
前記算出部は、更に、前記ｍ個の電力消費量情報に基づいて、前記ｍ個の照明装置それぞれの調光レベルの変化量を算出する請求項２〜６のいずれか１つに記載の照明制御装置。
【請求項８】
前記算出部は、数式（１）に示す目的関数を最小化する前記ｍ個の調光レベルの変化量を算出する請求項７に記載の照明制御装置。
【数１】
2016110718.tif 000006
（数式（１）において、Ｎは人間の数を示し、ｍは照明装置の個数を示し、Ｅｉ（ｔ）は人間がいる領域ｉの目標照度を示し、Ｅｉ￣は人間がいる領域ｉの現在の照度を示し、∂Ｅｉｍ／∂Ｄｍは人間がいる領域ｉに対する照明装置ｍの影響度を示し、ＤＬｍは照明装置ｍの現在の調光レベルを示し、δＤｍ（ｔ）は照明装置ｍの調光レベルの変化量を示し、ＰＬｍは照明装置ｍの調光レベル１％分の単位時間当たりの電力消費量を示し、α及びβは重みを示す）
【請求項９】
ｎ個の領域への照明を行うｍ個の照明部と、
前記ｎ個の領域それぞれの照度を検出するｎ個の照度検出部と、
人間の有無又は位置を検出する１以上の人検出部と、
前記ｎ個の領域それぞれの目標照度を示す目標照度情報を記憶する目標照度情報記憶部と、
前記ｎ個の照度検出部それぞれにより検出された照度を示す照度情報、前記１以上の人検出部それぞれにより検出された人間の有無又は位置を示す人間情報、及び前記ｎ個の照度情報に基づいて、前記ｍ個の照明部それぞれの調光レベルを制御する調光制御部と、
を備える照明制御システム。
【請求項１０】
ｎ個の領域それぞれの照度を検出するｎ個の照度検出装置それぞれから、検出された照度を示す照度情報を取得する照度情報取得ステップと、
人間の有無又は位置を検出する１以上の人検出装置それぞれから、検出された人間の有無又は位置を示す人間情報を取得する人間情報取得ステップと、
前記ｎ個の領域それぞれの目標照度を示す目標照度情報を取得する目標照度情報取得ステップと、
前記ｎ個の照度情報、前記１以上の人間情報、及び前記ｎ個の目標照度情報に基づいて、前記ｎ個の領域への照明を行うｍ個の照明装置それぞれの調光レベルを制御する調光制御ステップと、
を含む照明制御方法。
【請求項１１】
ｎ個の領域それぞれの照度を検出するｎ個の照度検出装置それぞれから、検出された照度を示す照度情報を取得する照度情報取得ステップと、
人間の有無又は位置を検出する１以上の人検出装置それぞれから、検出された人間の有無又は位置を示す人間情報を取得する人間情報取得ステップと、
前記ｎ個の領域それぞれの目標照度を示す目標照度情報を取得する目標照度情報取得ステップと、
前記ｎ個の照度情報、前記１以上の人間情報、及び前記ｎ個の目標照度情報に基づいて、前記ｎ個の領域への照明を行うｍ個の照明装置それぞれの調光レベルを制御する調光制御ステップと、
をコンピュータに実行させるためのプログラム。
【発明の詳細な説明】
【技術分野】
【０００１】
本発明は、照明制御装置、照明制御システム、照明制御方法、及びプログラムに関する。
【背景技術】
【０００２】
従来から、オフィスなどの所定空間内における各机などの各ワーカーの作業領域の照度を最適化する技術が知られている。
【０００３】
例えば、特許文献１には、ｎ個の照度検出器それぞれで検出される照度に対するｍ個の照明それぞれの寄与度を、予め照明テストを行って算出しておき、これらの寄与度に基づき、｜ｎ個の照度検出器それぞれで検出される照度を成分とする検出照度ベクトルＥ−ｎ個の照度検出器それぞれで検出される照度の目標照度を成分とする目標照度ベクトルＥ０｜からなる評価関数を最小化する出力照度ベクトルＦを算出し、算出した出力照度ベクトルＦに基づいて、ｍ個の照明それぞれの照度出力を制御する技術が開示されている。
【発明の概要】
【発明が解決しようとする課題】
【０００４】
しかしながら、上述したような従来技術では、予め照明テストを行って、領域毎に複数の照明それぞれの照度に対する寄与度を算出しておく必要があるため、事前準備に多大な人的コストを要してしまう。
【０００５】
本発明は、上記事情に鑑みてなされたものであり、コストを抑えつつ、各領域の照度を適切化することが可能な照明制御装置、照明制御システム、照明制御方法、及びプログラムを提供することを目的とする。
【課題を解決するための手段】
【０００６】
上述した課題を解決し、目的を達成するために、本発明の一態様にかかる照明制御装置は、ｎ個の領域それぞれの照度を検出するｎ個の照度検出装置それぞれから、検出された照度を示す照度情報を取得する照度情報取得部と、人間の有無又は位置を検出する１以上の人検出装置それぞれから、検出された人間の有無又は位置を示す人間情報を取得する人間情報取得部と、前記ｎ個の領域それぞれの目標照度を示す目標照度情報を取得する目標照度情報取得部と、前記ｎ個の照度情報、前記１以上の人間情報、及び前記ｎ個の目標照度情報に基づいて、前記ｎ個の領域への照明を行うｍ個の照明装置それぞれの調光レベルを制御する調光制御部と、を備える。
【発明の効果】
【０００７】
本発明によれば、コストを抑えつつ、各領域の照度を適切化することが可能という効果を奏する。
【図面の簡単な説明】
【０００８】
【図１】図１は、本実施形態の照明制御システムの一例を示す模式図である。
【図２】図２は、本実施形態の照度検出装置、人検出装置、及び照明装置の配置の一例を示す模式図である。
【図３】図３は、本実施形態の照度検出装置のハードウェア構成の一例を示すブロック図である。
【図４】図４は、本実施形態の人検出装置のハードウェア構成の一例を示すブロック図である。
【図５】図５は、本実施形態の照明制御装置のハードウェア構成の一例を示すブロック図である。
【図６】図６は、本実施形態の照明装置のハードウェア構成の一例を示すブロック図である。
【図７】図７は、本実施形態の照明制御装置の機能構成の一例を示すブロック図である。
【図８】図８は、本実施形態の照明装置の照明灯の配光特性の一例を示す図である。
【図９】図９は、図８に示す断面の説明図である。
【図１０】図１０は、本実施形態の照明制御装置で実行される処理の一例を示すフローチャートである。
【発明を実施するための形態】
【０００９】
以下、添付図面を参照しながら、本発明にかかる照明制御装置、照明制御システム、照明制御方法、及びプログラムの実施形態を詳細に説明する。
【００１０】
図１は、本実施形態の照明制御システム１の一例を示す模式図である。図１に示すように、照明制御システム１は、照度検出装置１０−１〜１０−ｎ（ｎは２以上の整数）と、人検出装置２０−１〜２０−ｎと、照明制御装置３０と、照明装置４０−１〜４０−ｍ（ｍは２以上の整数）とを、備える。
【００１１】
照度検出装置１０−１〜１０−ｎ、人検出装置２０−１〜２０−ｎ、照明制御装置３０、及び照明装置４０−１〜４０−ｍは、ネットワーク２を介して接続されている。ネットワーク２としては、例えば、インターネットやＬＡＮ（Local  Area  Network）などが挙げられる。
【００１２】
なお、以下の説明では、照度検出装置１０−１〜１０−ｎを各々区別する必要がない場合は、単に照度検出装置１０と称し、人検出装置２０−１〜２０−ｎを各々区別する必要がない場合は、単に人検出装置２０と称し、照明装置４０−１〜４０−ｍを各々区別する必要がない場合は、単に照明装置４０と称する場合がある。また、照度検出装置１０は、照度検出部の一例であり、人検出装置２０は、人検出部の一例であり、照明装置４０は、照明部の一例である。
【００１３】
図２は、本実施形態の照度検出装置１０、人検出装置２０、及び照明装置４０の配置の一例を示す模式図である。図２に示す例では、ｎ＝４、ｍ＝１１である場合のオフィスにおける照度検出装置１０、人検出装置２０、及び照明装置４０の配置例を示しているが、これに限定されるものではない。
【００１４】
図２に示す例では、机などのワーカーの作業領域である領域ａ〜ｄに、それぞれ、照度検出装置１０−１〜１０−４が配置されるとともに、人検出装置２０−１〜２０−４が配置されている。なお、領域ａ、領域ｂ、領域ｄには、それぞれ、ワーカー５１、ワーカー５２、ワーカー５３が在席しているが、領域ｃには、ワーカーは在席していない。また、領域ａ〜ｄの上方には、１１台の照明装置４０が配置されており、領域ａ〜領域ｄへの照明を行っている。
【００１５】
照度検出装置１０は、自身が位置する領域の照度を検出する装置である。なお、照度検出装置１０が検出する照度は、照明装置４０−１〜４０−ｍだけでなく外光や非常灯などの光源の影響も考慮されたものである。
【００１６】
図３は、本実施形態の照度検出装置１０のハードウェア構成の一例を示すブロック図である。図３に示すように、照度検出装置１０は、フォトトランジスタなどである照度を検出する照度センサ１１と、各部を制御するマイコン（マイクロコンピュータ）１２と、無線通信を行う無線通信装置１３と、を備えている。なお、無線通信装置１３は、無線通信によりネットワーク２に直接接続されてもよいし、無線通信装置１３を子機とし、無線通信装置１３の親機を介してネットワーク２に接続されてもよい。
【００１７】
人検出装置２０は、自身が位置する領域の人間の有無を検出する装置である。図４は、本実施形態の人検出装置２０のハードウェア構成の一例を示すブロック図である。図４に示すように、人検出装置２０は、赤外線センサや圧力センサなどである人間を検出する人感センサ２１と、各部を制御するマイコン（マイクロコンピュータ）２２と、無線通信を行う無線通信装置２３と、を備えている。なお、無線通信装置２３は、無線通信によりネットワーク２に直接接続されてもよいし、無線通信装置２３を子機とし、無線通信装置２３の親機を介してネットワーク２に接続されてもよい。
【００１８】
照明制御装置３０は、照度検出装置１０−１〜１０−ｎの照度検出結果及び人検出装置２０−１〜２０−ｎの人検出結果に基づいて、照明装置４０−１〜４０−ｍの調光レベルを制御する装置である。照明制御装置３０は、１台以上のコンピュータで実現でき、例えば、Ｗｅｂサーバとデータベースサーバとで実現できる。
【００１９】
図５は、本実施形態の照明制御装置３０のハードウェア構成の一例を示すブロック図である。図５に示すように、照明制御装置３０は、ＣＰＵ（Central  Processing  Unit）などの制御装置３１と、ＲＯＭ（Read  Only  Memory）やＲＡＭ（Random  Access  Memory）などの主記憶装置３２と、ＨＤＤ（Hard  Disk  Drive）やＳＳＤ（Solid  State  Drive）などの補助記憶装置３３と、ディスプレイなどの表示装置３４と、マウス、キーボード、及びタッチパネルなどの入力装置３５と、通信インタフェースなどの通信装置３６と、を備えており、通常のコンピュータを利用したハードウェア構成となっている。
【００２０】
照明装置４０は、照明制御装置３０により制御された調光レベルで自身の周囲の照明を行う装置である。本実施形態では、照明装置４０は、１％単位で調光レベルを調整できるものとするが、これに限定されるものではない。また照明装置４０は、所定単位当たりの電力消費量を示す電力消費量情報を保持している。本実施形態では、所定単位当たりの電力消費量は、調光レベル１％分の単位時間当たりの電力消費量であるものとするが、これに限定されるものではない。
【００２１】
図６は、本実施形態の照明装置４０のハードウェア構成の一例を示すブロック図である。図６に示すように、照明装置４０は、発光するＬＥＤ（Light  Emitting  Diode）４１と、ＬＥＤ４１の発光を制御するＬＥＤドライバ４２と、各部を制御するマイコン（マイクロコンピュータ）４３と、無線通信を行う無線通信装置４４と、を備えている。なお、無線通信装置４４は、無線通信によりネットワーク２に直接接続されてもよいし、無線通信装置４４を子機とし、無線通信装置４４の親機を介してネットワーク２に接続されてもよい。
【００２２】
図７は、本実施形態の照明制御装置３０の機能構成の一例を示すブロック図である。図７に示すように、照明制御装置３０は、照度情報取得部１０１と、人間情報取得部１０３と、目標照度情報記憶部１０５と、目標照度情報取得部１０７と、電力消費量情報取得部１０９と、算出部１１１と、調光制御部１１３とを、備える。
【００２３】
照度情報取得部１０１、人間情報取得部１０３、電力消費量情報取得部１０９、及び調光制御部１１３は、例えば、制御装置３１、主記憶装置３２、及び通信装置３６により実現でき、目標照度情報記憶部１０５は、例えば、主記憶装置３２及び補助記憶装置３３の少なくともいずれかにより実現でき、目標照度情報取得部１０７及び算出部１１１は、例えば、制御装置３１及び主記憶装置３２により実現できる。
【００２４】
照度検出装置１０−１〜１０−ｎは、それぞれ、自身が位置する領域の照度を検出し、検出した照度を示す照度情報を照明制御装置３０に送信する。図２に示す例の場合であれば、照度検出装置１０−１は領域ａの照度を検出し、照度検出装置１０−２は領域ｂの照度を検出し、照度検出装置１０−３は領域ｃの照度を検出し、照度検出装置１０−４は領域ｄの照度を検出する。なお照度検出装置１０は、例えば、１秒間隔で、照度を検出して照度情報を照明制御装置３０に送信する。
【００２５】
人検出装置２０−１〜２０−ｎは、それぞれ、自身が位置する領域の人間の有無を検出し、検出された人間の有無を示す人間情報を照明制御装置３０に送信する。図２に示す例の場合であれば、人検出装置２０−１は領域ａの人間の有無を検出し、人検出装置２０−２は領域ｂの人間の有無を検出し、人検出装置２０−３は領域ｃの人間の有無を検出し、人検出装置２０−４は領域ｄの人間の有無を検出する。なお人検出装置２０は、例えば、１秒間隔で、人間の有無を検出して人間情報を照明制御装置３０に送信する。
【００２６】
照度情報取得部１０１は、照度検出装置１０−１〜１０−ｎそれぞれから、照度情報を取得する。これにより、照度情報取得部１０１は、ｎ個の領域それぞれの照度情報を取得する。
【００２７】
人間情報取得部１０３は、人検出装置２０−１〜２０−ｎそれぞれから、人間有無情報を取得する。これにより、人間情報取得部１０３は、ｎ個の領域それぞれの人間情報を取得する。
【００２８】
目標照度情報記憶部１０５は、ｎ個の領域それぞれの目標照度を示す目標照度情報を記憶する。図２では、例えば、領域ａの目標照度が５００ｌｕｘ、領域ｂの目標照度が４５０ｌｕｘ、領域ｃの目標照度が６００ｌｕｘ、領域ｄの目標照度が７００ｌｕｘであるものとするが、これに限定されるものではない。
【００２９】
目標照度情報取得部１０７は、ｎ個の領域それぞれの目標照度を示す目標照度情報を取得する。具体的には、目標照度情報取得部１０７は、目標照度情報記憶部１０５からｎ個の領域それぞれの目標照度情報を取得する。
【００３０】
電力消費量情報取得部１０９は、照明装置４０−１〜４０−ｍそれぞれの電力消費量情報を取得する。具体的には、電力消費量情報取得部１０９は、照明装置４０−１〜４０−ｍそれぞれから電力消費量情報を取得する。
【００３１】
算出部１１１は、照度情報取得部１０１により取得されたｎ個の照度情報、人間情報取得部１０３により取得されたｎ個の人間情報、及び目標照度情報取得部１０７により取得されたｎ個の目標照度情報に基づいて、照明装置４０−１〜４０−ｍの調光レベルの変化量を算出する。
【００３２】
具体的には、算出部１１１は、ｎ個の照度情報のうち人間情報が人間有りを示す領域の照度情報、ｎ個の目標照度情報のうち人間情報が人間有りを示す領域の目標照度情報に基づいて、ｍ個の調光レベルの変化量を算出する。図２に示す例の場合であれば、領域ｃにはワーカーが在席していないので、算出部１１１は、領域ａ、領域ｂ、領域ｄの照度情報及び目標照度情報に基づいて、ｍ個の調光レベルの変化量を算出する。
【００３３】
なお、ｍ個の調光レベルの変化量は、ｎ個の領域のうち人間情報が人間有りを示す領域の照度を目標照度に近づける変化量である。図２に示す例において、各領域の目標照度が前述の通りであり、例えば、領域ａの現在の照度が４５０ｌｕｘ、領域ｂの現在の照度が４００ｌｕｘ、領域ｄの現在の照度が７３０ｌｕｘであれば、ｍ個の調光レベルの変化量は、理想的には、領域ａの照度を５０ｌｕｘ上げ、領域ｂの照度を５０ｌｕｘ上げ、領域ｄの照度を３０ｌｕｘ下げることができる変化量である。
【００３４】
本実施形態では、算出部１１１は、更に、電力消費量情報取得部１０９により取得されたｍ個の電力消費量情報に基づいて、ｍ個の照明装置それぞれの調光レベルの変化量を算出する。
【００３５】
具体的には、算出部１１１は、数式（１）に示す目的関数Ｊを最小化するｍ個の調光レベルの変化量を算出する。なお、数式（１）に示す目的関数Ｊは、人間（ワーカー）がいる領域の目標照度を最も満たし、かつ電力消費量が最小になるようにする照明装置４０−１〜４０−ｍの調光レベルの変化量を求める目的関数である。
【００３６】
【数１】
2016110718.tif 000003
【００３７】
数式（１）において、第１項は目標照度と現在の照度との差分の二乗を示し、第２項は調光レベル変化後の電力消費量を示し、第３項は調光レベルの変化度合いを示す。
【００３８】
Ｎは人間（ワーカー）の数を示す。ｍは照明装置の個数を示す。Ｅｉ（ｔ）は人間（ワーカー）がいる領域ｉの目標照度を示す。Ｅｉ￣は人間（ワーカー）がいる領域ｉの現在の照度を示す。∂Ｅｉｍ／∂Ｄｍは人間（ワーカー）がいる領域ｉに対する照明装置４０−ｍの影響度を示す。ＤＬｍは照明装置４０−ｍの現在の調光レベルを示す。本実施形態では、照明制御装置３０が照明装置４０の調光レベルを制御するため、現在の調光レベルは、照明制御装置３０が把握している。δＤｍ（ｔ）は照明装置４０−ｍの調光レベルの変化量を示す。ＰＬｍは照明装置４０−ｍの調光レベル１％分の単位時間当たりの電力消費量を示す。αは重みを示し、αを大きくするほど、省エネルギーになるように働く。βは重みを示し、βを大きくするほど、現在の照度レイアウトを保つよう働き、ゆっくりと照度を収束する。
【００３９】
なお、∂Ｅｉｍ／∂Ｄｍは、詳細には、照明装置４０−ｍの調光レベルを１％分変化させたときの照度変化量であり、逐点法に基づき数式（２）で表される。
【００４０】
【数２】
2016110718.tif 000004
【００４１】
ｌｍは照明装置４０−ｍの照明灯（図示省略）の長さを示す。ｈｉは人間（ワーカー）がいる領域ｉに対する照明装置４０−ｍの高さを示す。ｄｉは人間（ワーカー）がいる領域ｉに対する照明装置４０−ｍの水平距離を示す。Ｉθｉｍは人間（ワーカー）がいる領域ｉに対する照明装置４０−ｍの調光レベル１％時の角度θｉにおける単位長さ当りの光度を示し、図８に示す照明装置４０−ｍの照明灯の配光特性より求められる。なお、図８におけるＡ断面及びＢ断面については、図９に示す。
【００４２】
そして算出部１１１は、数式（１）に示す目的関数Ｊを最小化するため、∂Ｊ／∂δ＝０を満たす数式（３）のδＤｍ（ｔ）を擬似逆行列により求める。
【００４３】
【数３】
2016110718.tif 000005
【００４４】
なお、照明装置４０の調光レベルの最大値は１００％であり、最小値は０％である。このため算出部１１１は、照明装置４０の調光レベルを求めた変化量分変化させた場合に、調光レベルが１００％を超えるようであれば、求めた変化量を照明装置４０の調光レベルを１００％に変化させる変化量に変更し、調光レベルが０％未満となるようであれば、求めた変化量を照明装置４０の調光レベルを０％に変化させる変化量に変更する。
【００４５】
調光制御部１１３は、照度情報取得部１０１により取得されたｎ個の照度情報、人間情報取得部１０３により取得されたｎ個の人間情報、及び目標照度情報取得部１０７により取得されたｎ個の目標照度情報に基づいて、照明装置４０−１〜４０−ｍの調光レベルを制御する。
【００４６】
具体的には、調光制御部１１３は、照明装置４０−１〜４０−ｍの調光レベルを、それぞれ、算出部１１１により算出された変化量分変化させるように制御する。
【００４７】
図１０は、本実施形態の照明制御装置３０で実行される処理の一例を示すフローチャートである。
【００４８】
まず、照度情報取得部１０１は、照度検出装置１０−１〜１０−ｎそれぞれから照度情報を取得することで、ｎ個の領域それぞれの照度情報を取得する（ステップＳ１０１）。
【００４９】
続いて、人間情報取得部１０３は、人検出装置２０−１〜２０−ｎそれぞれから人間有無情報を取得することで、ｎ個の領域それぞれの人間情報を取得する（ステップＳ１０２）。
【００５０】
続いて、目標照度情報取得部１０７は、目標照度情報記憶部１０５からｎ個の領域それぞれの目標照度情報を取得する（ステップＳ１０３）。
【００５１】
続いて、電力消費量情報取得部１０９は、照明装置４０−１〜４０−ｍそれぞれから電力消費量情報を取得する（ステップＳ１０４）。
【００５２】
続いて、算出部１１１は、照度情報取得部１０１により取得されたｎ個の照度情報、人間情報取得部１０３により取得されたｎ個の人間情報、目標照度情報取得部１０７により取得されたｎ個の目標照度情報、及び電力消費量情報取得部１０９により取得されたｍ個の電力消費量情報に基づいて、照明装置４０−１〜４０−ｍの調光レベルの変化量を算出する（ステップＳ１０５）。
【００５３】
続いて、調光制御部１１３は、照明装置４０−１〜４０−ｍの調光レベルを、それぞれ、算出部１１１により算出された変化量分変化させるように制御する（ステップＳ１０６）。
【００５４】
以上のように、本実施形態によれば、領域毎の目標照度を予め準備しておくだけでよいため、コストを抑えつつ、各領域の照度を適切化することができる。なお、領域毎の目標照度は、例えば、照度に関するＪＩＳ規格（ＪＩＳＺ９１１０）等を参照して決めればよく、予め照明テストなどを行う必要がないため、事前準備にかかる人的コストを抑えられる。
【００５５】
特に本実施形態によれば、事前準備にかかる人的コストを抑えられるため、本技術を適用するオフィスなどの空間が大規模になっても適用でき、拡張性にも富む。
【００５６】
また本実施形態によれば、数式（１）に示す目的関数を用いて、人間（ワーカー）がいる領域の目標照度を最も満たし、かつ電力消費量が最小になるようにする照明装置４０−１〜４０−ｍの調光レベルの変化量を求める。このため、∂Ｅｉｍ／∂Ｄｍを予め求めておくことができ、演算負荷も抑えることができるので、照明装置４０−１〜４０−ｍの調光レベルを最適化するまでに要する時間も短縮することができる。この結果、外光などの影響により、各領域の照度が変化しても、即座に目標照度となるように制御することができる。
【００５７】
（変形例）
上記実施形態では、人検出装置２０を各領域に配置して、各領域の人間の有無を判断する例について説明したが、人検出装置２０を人間（ワーカー）が保持するようにしてもよい。
【００５８】
この場合、人検出装置２０は、人間の位置を検出し、検出された人間の位置を示す人間情報を照明制御装置３０に送信する。
【００５９】
また、この場合、人検出装置２０の人感センサ２１は、加速度センサやジャイロセンサなどであり、人検出装置２０は、Pedestrian  dead  Reckoning機能により、人感センサ２１により検出される人間の歩行状態に基づき、オフィスなどの所定空間内におけるこの人間の位置を検出する。
【００６０】
また、この場合、算出部１１１は、ｎ個の照度情報のうち人間情報が示す位置を含む領域の照度情報、ｎ個の目標照度情報のうち人間情報が示す位置を含む領域の目標照度情報に基づいて、ｍ個の調光レベルの変化量を算出する。なお、ｍ個の調光レベルの変化量は、ｎ個の領域のうち人間情報が示す位置を含む領域の照度を目標照度に近づける変化量である。
【００６１】
（プログラム）
上記実施形態及び変形例の照明制御装置３０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００６２】
また、上記実施形態及び変形例の照明制御装置３０で実行されるプログラムを、インターネット等のネットワークに接続されたコンピュータ上に格納し、ネットワーク経由でダウンロードさせることにより提供するようにしてもよい。また、上記実施形態及び変形例の照明制御装置３０で実行されるプログラムを、インターネット等のネットワーク経由で提供または配布するようにしてもよい。また、上記実施形態及び変形例の照明制御装置３０で実行されるプログラムを、ＲＯＭ等に予め組み込んで提供するようにしてもよい。
【００６３】
上記実施形態及び変形例の照明制御装置３０で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【００６４】
１  照明制御システム
２  ネットワーク
１０−１〜１０−ｎ（１０）  照度検出装置
１１  照度センサ
１２  マイコン
１３  無線通信装置
２０−１〜２０−ｎ（２０）  人検出装置
２１  人感センサ
２２  マイコン
２３  無線通信装置
３０  照明制御装置
３１  制御装置
３２  主記憶装置
３３  補助記憶装置
３４  表示装置
３５  入力装置
３６  通信装置
４０−１〜４０−ｍ（４０）  照明装置
４１  ＬＥＤ
４２  ＬＥＤドライバ
４３  マイコン
４４  無線通信装置
１０１  照度情報取得部
１０３  人間情報取得部
１０５  目標照度情報記憶部
１０７  目標照度情報取得部
１０９  電力消費量情報取得部
１１１  算出部
１１３  調光制御部
【先行技術文献】
【特許文献】
【００６５】
【特許文献１】特開２０１１−２２２４２９号公報
【図１】
2016110718.tif 000007
【図２】
2016110718.tif 000008
【図３】
2016110718.tif 000009
【図４】
2016110718.tif 000010
【図５】
2016110718.tif 000011
【図６】
2016110718.tif 000012
【図７】
2016110718.tif 000013
【図８】
2016110718.tif 000014
【図９】
2016110718.tif 000015
【図１０】
2016110718.tif 000016